(57)【特許請求の範囲】
【請求項１】
読み込んだ画像データに対し、複数種類の画像処理を施し得る画像処理装置であって、
画像が表示される画面を有し、その画面に対する指示体の接触位置または接近位置に応じた入力を行うタッチパネルに、前記画像データの内容を示すサムネイル画像を表示するサムネイル画像表示手段と、
前記タッチパネルにおけるサムネイル画像の表示を継続しつつ、前記画像データに対し施し得る複数種類の画像処理にそれぞれ対応した機能提示画像を、そのタッチパネルに表示する機能提示手段と、
前記サムネイル画像表示手段により前記タッチパネルにサムネイル画像が表示されてからユーザによって所定の操作がされるまでの間に、そのタッチパネルに表示されたサムネイル画像に対し指示物が接触または接近させられたかを判断する選択判断手段と、
前記選択判断手段により指示物が接触または接近させられたと判断されたサムネイル画像と、指示物が接触または接近させられたと判断されないサムネイル画像とを異なる態様で表示させる選択画像表示手段と、
前記機能提示手段により表示された機能提示画像に対する指示物の接触または接近に基づいて、前記画像データに施し得る複数種類の画像処理のうちいずれかを選択する画像処理選択手段と、
前記画像処理選択手段により画像処理が選択される毎に、その選択された画像処理の処理結果を示すサムネイル画像で、前記選択判断手段により指示物が接触または接近させられたと判断されたサムネイル画像の各々を置換すると共に、前記選択判断手段により指示物が接触または接近されられたと判断されたサムネイル画像以外のサムネイル画像の表示を維持する表示変更手段を備えるものであることを特徴とする画像処理装置。
【請求項２】
前記画像処理選択手段により選択された画像処理が前記サムネイル画像で既に処理結果が示されている処理である場合、その画像処理選択手段により選択された画像処理の処理結果を示すサムネイル画像の各々を、前記画像処理選択手段により選択された画像処理を取り消した場合の処理結果を示すサムネイル画像で置換する第１解除手段を備えることを特徴とする請求項１記載の画像処理装置。
【請求項３】
前記サムネイル画像表示手段により前記タッチパネルにサムネイル画像が表示されてからユーザによって所定の操作がされた後における、前記タッチパネルに表示されたサムネイル画像に対する指示物の接触または接近を検出する追加検出手段と、
その追加検出手段により指示物の接触または接近が検出されたサムネイル画像が、前記画像処理選択手段により選択された画像処理の処理結果を示すものであるかを判断するサムネイル画像判断手段と、
そのサムネイル画像判断手段により、前記サムネイル画像が前記画像処理選択手段により選択された画像処理の処理結果を示すものであると判断された場合、その画像処理選択手段により選択された画像処理を取り消した場合の処理結果を示すサムネイル画像で、前記追加検出手段により検出されたサムネイル画像を置換する第２解除手段とを備えることを特徴とする請求項１または２に記載の画像処理装置。
【請求項４】
前記画像処理選択手段により選択された画像処理の処理結果を示すサムネイル画像により、前記選択判断手段により指示物が接触または接近させられたと判断されたサムネイル画像の各々が置換された後、さらに、前記画像処理選択手段により新たな画像処理が選択され、その新たに選択された画像処理の処理結果を示すサムネイル画像により、前記サムネイル画像の各々が置換された場合、
前記第２解除手段は、前記追加検出手段により指示物の接触または接近が検出されたサムネイル画像によって処理結果が示される画像処理のうち、前記画像処理選択手段により直近に選択された画像処理のみを取り消した場合の処理結果を示すサムネイル画像で、前記追加検出手段により指示物の接触または接近が検出されたサムネイル画像を置換するものであることを特徴とする請求項３記載の画像処理装置。
【請求項５】
前記追加検出手段により指示物の接触または接近が検出されたサムネイル画像が、前記画像処理選択手段により選択された画像処理の処理結果を示すものではないことが前記サムネイル画像判断手段により判断された場合、そのサムネイル画像を、前記画像処理選択手段により選択された画像処理の処理結果を示すサムネイル画像で置換する追加置換手段を備えることを特徴とする請求項３または４に記載の画像処理装置。
【請求項６】
画像が表示される画面を有し、その画面に対する指示体の接触位置または接近位置に応じた入力を行うタッチパネルに、読み込んだ画像データの内容を示すサムネイル画像を表示するサムネイル画像表示工程と、
前記タッチパネルにおけるサムネイル画像の表示を継続しつつ、前記画像データに対し施し得る複数種類の画像処理にそれぞれ対応した機能提示画像を、そのタッチパネルに表示する機能提示工程と、
前記サムネイル画像表示工程により前記タッチパネルにサムネイル画像が表示されてからユーザによって所定の操作がされるまでの間に、そのタッチパネルに表示されたサムネイル画像に対し指示物が接触または接近させられたかを判断する選択判断工程と、
前記選択判断工程により指示物が接触または接近させられたと判断されたサムネイル画像と、指示物が接触または接近させられたと判断されないサムネイル画像とを異なる態様で表示させる選択画像表示工程と、
前記機能提示工程により表示された機能提示画像に対する指示物の接触または接近に基づいて、前記画像データに施し得る複数種類の画像処理のうちいずれかを選択する画像処理選択工程と、
前記画像処理選択工程により画像処理が選択される毎に、その選択された画像処理の処理結果を示すサムネイル画像で、前記選択判断工程により指示物が接触または接近させられたと判断されたサムネイル画像の各々を置換すると共に、前記選択判断工程により指示物が接触または接近されられたと判断されたサムネイル画像以外のサムネイル画像の表示を維持する表示変更工程を備えるものであることを特徴とする画像処理方法。
【請求項７】
画像処理装置が備えるコンピュータが実行する画像処理プログラムであって、
画像が表示される画面を有し、その画面に対する指示体の接触位置または接近位置に応じた入力を行うタッチパネルに、読み込んだ画像データの内容を示すサムネイル画像を表示させるサムネイル画像表示手段と、
前記タッチパネルにおけるサムネイル画像の表示を継続しつつ、前記画像データに対し施し得る複数種類の画像処理にそれぞれ対応した機能提示画像を、そのタッチパネルに表示させる機能提示手段と、
前記サムネイル画像表示手段により前記タッチパネルにサムネイル画像が表示されてからユーザによって所定の操作がされるまでの間に、そのタッチパネルに表示されたサムネイル画像に対する指示があったか否かを、指示物が接触または接近させられたかに基づいて判断する選択判断手段と、
前記選択判断手段により指示物の接触または接近に基づく指示があったと判断されたサムネイル画像と、指示物の接触または接近に基づく指示があったと判断されないサムネイル画像とを異なる態様で表示させる選択画像表示手段と、
前記機能提示手段により表示された機能提示画像に対する指示物の接触または接近に基づいて、前記画像データに施し得る複数種類の画像処理のうちいずれかを選択する画像処理選択手段と、
前記画像処理選択手段により画像処理が選択される毎に、その選択された画像処理の処理結果を示すサムネイル画像で、前記選択判断手段により指示物の接触または接近に基づく指示があったと判断されたサムネイル画像の各々を置換すると共に、前記選択判断手段により指示物の接触または接近に基づく指示があったと判断されたサムネイル画像以外のサムネイル画像の表示を維持する表示変更手段として、前記コンピュータを機能させることを特徴とする画像処理プログラム。
【発明の詳細な説明】
【技術分野】
【０００１】
本発明は画像処理装置および画像処理方法に関し、特に、操作が容易であると共に、選択した画像処理が及ぼす影響を、ユーザに的確に把握させることができる画像処理装置および画像処理方法に関するものである。
【背景技術】
【０００２】
電子カメラ等で撮影された画像データに、色調の補正や回転などの各種画像処理を施すことができる画像処理装置が知られている。このような画像処理装置では、縮小画像であるサムネイル画像を表示画面に並べて表示し、入力された画像データを一覧できるように構成されている。
【０００３】
また、特許文献１には、所定の画像処理を実行させるためのマクロを複数種類用意し、これら複数のマクロから任意の複数のマクロを組み合わせて処理プログラムを編集し、処理対象の複数のサムネイル画像に対して、編集した処理プログラムを実行することが開示されている。このようにすれば、複数種類の画像処理をまとめて実行することができる。
【特許文献１】特開２０００−２１５３２２号公報
【発明の開示】
【発明が解決しようとする課題】
【０００４】
しかしながら、実行すべき画像処理をユーザが予め決定している場合は、上記特許文献１の技術は有効であるものの、画像データに対しどのような画像処理を実行するかは、試行錯誤しながら決定されることが多い。そのような場合、上述した特許文献１を含む従来の技術では、サムネイル画像を選択する画面に切り替える、画像処理対象のサムネイル画像を選択する、画像処理を選択する画面に切り替える、実行すべき画像処理を選択する、という行為を繰り返し行わなければならず、ユーザの操作が煩雑であるという問題点があった。
【０００５】
また、例えば、同じ場所で撮影した一連の写真などを画像処理する場合、ユーザは、全体のまとまりを考慮する場合が多い。よって、まず、いくつかの画像について画像処理の実行を決定し、その効果を画面で確認した後、全体的なまとまりを考慮し、さらに他の画像についても、その画像処理を実行したいという場合がある。
【０００６】
このような場合、上述した特許文献１のように、画像処理後のサムネイル画像のみを表示するものであると、一部の画像データに対してある画像処理を実行した場合、その選択した画像処理が、全体的なまとまりに対しどのような影響を及ぼすのか視認することができないという問題点があった。
【０００７】
本発明は、上記問題点を解決するためになされたものであり、操作が容易であると共に、選択した画像処理が及ぼす影響をユーザに的確に把握させることができる画像処理装置および画像処理方法を提供することを目的としている。
【課題を解決するための手段】
【０００８】
この目的を達成するために、請求項１記載の画像処理装置は、読み込んだ画像データに対し、複数種類の画像処理を施し得るものであって、画像が表示される画面を有し、その画面に対する指示体の接触位置または接近位置に応じた入力を行うタッチパネルに、前記画像データの内容を示すサムネイル画像を表示するサムネイル画像表示手段と、前記タッチパネルにおけるサムネイル画像の表示を継続しつつ、前記画像データに対し施し得る複数種類の画像処理にそれぞれ対応した機能提示画像を、そのタッチパネルに表示する機能提示手段と、前記サムネイル画像表示手段により前記タッチパネルにサムネイル画像が表示されてからユーザによって所定の操作がされるまでの間に、そのタッチパネルに表示されたサムネイル画像に対し指示物が接触または接近させられたかを判断する選択判断手段と、前記選択判断手段により指示物が接触または接近させられたと判断されたサムネイル画像と、指示物が接触または接近させられたと判断されないサムネイル画像とを異なる態様で表示させる選択画像表示手段と、前記機能提示手段により表示された機能提示画像に対する指示物の接触または接近に基づいて、前記画像データに施し得る複数種類の画像処理のうちいずれかを選択する画像処理選択手段と、前記画像処理選択手段により画像処理が選択される毎に、その選択された画像処理の処理結果を示すサムネイル画像で、前記選択判断手段により指示物が接触または接近させられたと判断されたサムネイル画像の各々を置換すると共に、前記選択判断手段により指示物が接触または接近されられたと判断されたサムネイル画像以外のサムネイル画像の表示を維持する表示変更手段を備えるものであることを特徴とする。
【０００９】
請求項２記載の画像処理装置は、請求項１記載の画像処理装置において、前記画像処理選択手段により選択された画像処理が前記サムネイル画像で既に処理結果が示されている処理である場合、その画像処理選択手段により選択された画像処理の処理結果を示すサムネイル画像の各々を、前記画像処理選択手段により選択された画像処理を取り消した場合の処理結果を示すサムネイル画像で置換する第１解除手段を備えることを特徴とする。
【００１０】
請求項３記載の画像処理装置は、請求項１または２に記載の画像処理装置において、前記サムネイル画像表示手段により前記タッチパネルにサムネイル画像が表示されてからユーザによって所定の操作がされた後における、前記タッチパネルに表示されたサムネイル画像に対する指示物の接触または接近を検出する追加検出手段と、その追加検出手段により指示物の接触または接近が検出されたサムネイル画像が、前記画像処理選択手段により選択された画像処理の処理結果を示すものであるかを判断するサムネイル画像判断手段と、そのサムネイル画像判断手段により、前記サムネイル画像が前記画像処理選択手段により選択された画像処理の処理結果を示すものであると判断された場合、その画像処理選択手段により選択された画像処理を取り消した場合の処理結果を示すサムネイル画像で、前記追加検出手段により検出されたサムネイル画像を置換する第２解除手段とを備えることを特徴とする。
【００１１】
請求項４記載の画像処理装置は、請求項３記載の画像処理装置において、前記画像処理選択手段により選択された画像処理の処理結果を示すサムネイル画像により、前記選択判断手段により指示物が接触または接近させられたと判断されたサムネイル画像の各々が置換された後、さらに、前記画像処理選択手段により新たな画像処理が選択され、その新たに選択された画像処理の処理結果を示すサムネイル画像により、前記サムネイル画像の各々が置換された場合、前記第２解除手段は、前記追加検出手段により指示物の接触または接近が検出されたサムネイル画像によって処理結果が示される画像処理のうち、前記画像処理選択手段により直近に選択された画像処理のみを取り消した場合の処理結果を示すサムネイル画像で、前記追加検出手段により指示物の接触または接近が検出されたサムネイル画像を置換するものであることを特徴とする。
【００１２】
請求項５記載の画像処理装置は、請求項３または４に記載の画像処理装置において、前記追加検出手段により指示物の接触または接近が検出されたサムネイル画像が、前記画像処理選択手段により選択された画像処理の処理結果を示すものではないことが前記サムネイル画像判断手段により判断された場合、そのサムネイル画像を、前記画像処理選択手段により選択された画像処理の処理結果を示すサムネイル画像で置換する追加置換手段を備えることを特徴とする。
【００１３】
請求項６記載の画像処理方法は、画像が表示される画面を有し、その画面に対する指示体の接触位置または接近位置に応じた入力を行うタッチパネルに、読み込んだ画像データの内容を示すサムネイル画像を表示するサムネイル画像表示工程と、前記タッチパネルにおけるサムネイル画像の表示を継続しつつ、前記画像データに対し施し得る複数種類の画像処理にそれぞれ対応した機能提示画像を、そのタッチパネルに表示する機能提示工程と、前記サムネイル画像表示工程により前記タッチパネルにサムネイル画像が表示されてからユーザによって所定の操作がされるまでの間に、そのタッチパネルに表示されたサムネイル画像に対し指示物が接触または接近させられたかを判断する選択判断工程と、前記選択判断工程により指示物が接触または接近させられたと判断されたサムネイル画像と、指示物が接触または接近させられたと判断されないサムネイル画像とを異なる態様で表示させる選択画像表示工程と、前記機能提示工程により表示された機能提示画像に対する指示物の接触または接近に基づいて、前記画像データに施し得る複数種類の画像処理のうちいずれかを選択する画像処理選択工程と、前記画像処理選択工程により画像処理が選択される毎に、その選択された画像処理の処理結果を示すサムネイル画像で、前記選択判断工程により指示物が接触または接近させられたと判断されたサムネイル画像の各々を置換すると共に、前記選択判断工程により指示物が接触または接近されられたと判断されたサムネイル画像以外のサムネイル画像の表示を維持する表示変更工程を備えるものであることを特徴とする。
【００１４】
請求項７記載の画像処理プログラムは、画像処理装置が備えるコンピュータが実行するプログラムであって、画像が表示される画面を有し、その画面に対する指示体の接触位置または接近位置に応じた入力を行うタッチパネルに、読み込んだ画像データの内容を示すサムネイル画像を表示させるサムネイル画像表示手段と、前記タッチパネルにおけるサムネイル画像の表示を継続しつつ、前記画像データに対し施し得る複数種類の画像処理にそれぞれ対応した機能提示画像を、そのタッチパネルに表示させる機能提示手段と、前記サムネイル画像表示手段により前記タッチパネルにサムネイル画像が表示されてからユーザによって所定の操作がされるまでの間に、そのタッチパネルに表示されたサムネイル画像に対する指示があったか否かを、指示物が接触または接近させられたかに基づいて判断する選択判断手段と、前記選択判断手段により指示物の接触または接近に基づく指示があったと判断されたサムネイル画像と、指示物の接触または接近に基づく指示があったと判断されないサムネイル画像とを異なる態様で表示させる選択画像表示手段と、前記機能提示手段により表示された機能提示画像に対する指示物の接触または接近に基づいて、前記画像データに施し得る複数種類の画像処理のうちいずれかを選択する画像処理選択手段と、前記画像処理選択手段により画像処理が選択される毎に、その選択された画像処理の処理結果を示すサムネイル画像で、前記選択判断手段により指示物の接触または接近に基づく指示があったと判断されたサムネイル画像の各々を置換すると共に、前記選択判断手段により指示物の接触または接近に基づく指示があったと判断されたサムネイル画像以外のサムネイル画像の表示を維持する表示変更手段として、前記コンピュータを機能させることを特徴とする。
【発明の効果】
【００１５】
請求項１記載の画像処理装置または請求項６記載の画像処理方法または請求項７記載の画像処理プログラムによれば、指示物の接触または接近により画像処理が選択される毎に、その選択された画像処理の処理結果を示すサムネイル画像で、指示物が接触または接近させられたサムネイル画像の各々が置換されるので、ユーザが指示物を接触または接近させることにより選択したサムネイル画像が多数ある場合であっても、容易な操作で、選択された画像処理を施した場合の処理結果を一覧することができるという効果がある。また、選択されたサムネイル画像以外のサムネイル画像についてはその表示が維持されるので、複数画像データのうち一部の画像データに対し画像処理を施した場合に、その一部の画像データに対する画像処理が全体に及ぼす影響を、ユーザが的確に把握することができるという効果がある。
また、指示物が接触または接近させられたと判断されたサムネイル画像と、指示物が接触または接近させられたと判断されないサムネイル画像とを異なる態様で表示させるので、あるいは、指示物の接触または接近に基づく指示があったと判断されたサムネイル画像と、指示物の接触または接近に基づく指示があったと判断されないサムネイル画像とを異なる態様で表示させるので、ユーザは、指示物が接触または接近させられたサムネイル画像を視認し、適切な画像処理を選択することができるという効果がある。
【００１６】
請求項２記載の画像処理装置によれば、請求項１記載の画像処理装置の奏する効果に加え、先に選択した画像処理についてその処理結果をサムネイル画像により視認した後、再度同じ画像処理を選択することにより、その画像処理を取り消した場合の処理結果を示すサムネイル画像を視認することができるので、画像処理を実行する場合と実行しない場合のそれぞれの効果を容易な操作で視認することができるという効果がある。
【００１７】
請求項３記載の画像処理装置によれば、請求項１または２に記載の画像処理装置の奏する効果に加え、選択された画像処理の処理結果を示すサムネイル画像に指示物を接触または接近させることにより、各サムネイル画像について個別に、先に選択された画像処理を取り消した場合の処理結果を示すサムネイル画像を視認することができる。すなわち、ユーザは、選択した画像処理を時刻する場合と実行しない場合のそれぞれの処理結果を各画像データ毎に容易な操作で視認することができるという効果がある。
【００１８】
請求項４記載の画像処理装置によれば、請求項３記載の画像処理装置の奏する効果に加え、追加検出手段により指示物の接触または接近が検出されたサムネイル画像によって処理結果が示される画像処理のうち、画像処理選択手段により直近に選択された画像処理のみを取り消した場合の処理結果を示すサムネイル画像で置換されるので、ユーザが残しておきたい画像処理結果まで取り消されてしまうことが抑制され、操作性が良いという効果がある。
【００１９】
請求項５記載の画像処理装置によれば、請求項３または４に記載の画像処理装置の奏する効果に加え、選択された画像処理の処理結果を示すサムネイル画像を視認した後、その画像処理の処理結果を示さない他のサムネイル画像についても、容易な操作で、選択された画像処理の処理結果を視認することができるという効果がある。
【発明を実施するための最良の形態】
【００２１】
以下、本発明の好ましい実施例について、添付図面を参照して説明する。図１は、本発明における実施形態の複合機１の外観構成を示す斜視図である。図１に示すように、本複合機１は、下部に設けられたプリンタ２と、上部に設けられたスキャナ３と、スキャナ３の正面側に設けられた操作パネル４とを一体的に備えたＭＦＰ（Ｍｕｌｔｉ  Ｆｕｎｃｔｉｏｎ  Ｐｅｒｉｐｈｅｒａｌ）であり、コピー機能、ファクシミリ機能、パーソナルコンピュータ（以下単に「ＰＣ」と称す）など外部のコンピュータ（図示せず）から受信したデータを記録用紙に記録（印刷）するプリンタ機能など複数の機能を実現するものである。
【００２２】
接続パネル７０には、その左端側にＵＳＢ端子７１が配設されている。ＵＳＢ端子７１は、外部機器とＵＳＢ接続することにより該外部機器と本複合機１とを通信可能に接続するコネクタ端子である。また、接続パネル７０の右端側にはスロット部７２が配設されている。スロット部７２はメモリカード（カード型メモリ）を装填可能な複数のカードスロットが設けられている。カードスロットにメモリカードが装填され、該装填されたメモリカードから、画像データの一例である画像ファイルが後述の制御部２０（図２参照）により読み出される。
【００２３】
複合機１の正面側には、操作パネル４が設けられている。操作パネル４は、横長形状に形成されている。操作パネル４は、プリンタ２やスキャナ３を操作するためのものであり、各種操作キー４０とタッチパネル４１とを具備する。ユーザは、操作パネル４を用いて、所望の指令を入力することができる。複合機１に所定の指令が入力されると、その入力された情報に基づいて該複合機１の動作が制御部２０（図２参照）によって制御される。
【００２４】
また、タッチパネル４１は、画像が表示される画面を有し、その画面に対する指示体の接触位置または接近位置に応じた入力を行うので、ユーザは、タッチパネル４１上の画面に、指示物の一例としての指やペンを接触させる（タッチする）ことで所望の指令を入力することができる。
【００２５】
次に、図２を参照して、本実施形態の複合機１の電気的構成について説明する。図２は、複合機１の電気的構成を示すブロック図である。複合機１は、ケーブルを介してＰＣなどと接続可能なインターフェイス（以下「Ｉ／Ｆ」と称する）であるパラレルＩ／Ｆ２９と、デジタルカメラなどと接続可能なＵＳＢ端子７１と、外部メディア（例えば、メモリカードやハードディスクなどの記録媒体）を着脱自在に装着可能なスロット部７２とを備えている。このため、ＰＣ、デジタルカメラ、外部メディアから画像ファイルを入力することができるようになっている。なお、ＰＣ、デジタルカメラ、外部メディアと複合機の接続形態は、これに限られない。図示しないネットワークＩ／Ｆを介して接続するものでも良い。
【００２６】
制御部２０は、プリンタ２、スキャナ３及び操作パネル４（図１参照）を含む複合機１の動作を統括的に制御するものである。制御部２０は、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２４を主とするマイクロコンピュータとして構成されており、バス２５を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２６に接続されている。
【００２７】
ＣＰＵ２１は、この複合機１を総括的に制御する中央演算処理装置である。ＲＯＭ２２は、ＣＰＵ２１により実行される各種制御プログラム（例えば、図４（ｂ）のフローチャートに示すプログラム）やそのプログラムを実行する際に用いられる固定値などを記憶するものである。
【００２８】
ＲＡＭ２３は、ＣＰＵ２１が上記プログラムを実行する際に用いる各種データを一時的に記憶する記憶領域又は作業領域として使用される書き換え可能なメモリである。ＲＡＭ２３には、複合機１の起動に伴って読み込みが指示されているプログラムのためのロードエリアなどが設けられている。
【００２９】
また、ＲＡＭ２３には、画像ファイル一時記憶エリア２３０と、位置情報記憶エリア２３２と、確定済画像処理記憶エリア２３４とが設けられている。
【００３０】
画像ファイル一時記憶エリア２３０は、スロット部７２にメモリカード（図示せず）が差し込まれた場合に、そのメモリカードから読み出された画像ファイルを記憶するエリアである。本実施形態では、画像ファイル一時記憶エリア２３０に記憶される画像ファイルは、例えば、ＪＰＥＧ方式の画像データであって、各画像ファイルには、画像ファイルを縮小して表示するためのサムネイルデータが付加されているものとして説明する。
【００３１】
図３（ａ）を参照し、各画像ファイルに付加されたサムネイルデータに基づいて、タッチパネル４１に表示されるサムネイル画像４１１について説明する。図３（ａ）は、サムネイル画像４１１が表示されたタッチパネル４１の表示態様の一例を示す図である。図３（ａ）に示すように、サムネイル画像４１１は、画像ファイル一時記憶エリア２３０に読み込まれた各画像ファイルの内容を示す縮小化された見本画像であるため、タッチパネル４１には多数のサムネイル画像４１１をマトリクス状に並べて配置することができる。図３（ａ）には、合計１２個のサムネイル画像４１１を、４列３行のマトリクス状に配列して表示した状態を示している。
【００３２】
なお、本実施形態では、タッチパネル４１の表示可能領域をサムネイル表示領域４１３と操作キー表示領域４１４とに分割し、サムネイル表示領域４１３にサムネイル画像４１１を表示し、操作キー表示領域４１４には、各種操作キー４１２を表示する。ここでは、操作キー４１２として、画像処理キー４１２１と、カーソルキー４１２２と、決定キー４１２３と取消キー４１２４とが表示されている。
【００３３】
画像処理キー４１２１は、機能提示画像の一例であって、画像ファイルに対し施し得る複数種類の画像処理をユーザに提示し、ユーザに任意の画像処理を選択させるためにタッチパネル４１に表示されるボタン形状の画像である。１つの画像処理キー４１２１は１種類の画像処理に対応している。ここで、複合機１が実行可能な画像処理としては、例えば、画像を右回転する「右回転」処理、画像を左回転する「左回転」処理、画像の色調をセピア調に補正する「セピア」処理、各画像に順序を付与する「順序指定」処理、各画像に余白を設けない「フチ無」処理、赤目になってしまった画像を補正する「赤目補正」処理、画像をモノクロ化する「モノクロ」処理、画像に日付を付与する「日付指定」処理、各画像に余白を設ける「フチ有」処理、画像の明るさを補正する「露出補正」処理などがあるものとして説明する。
【００３４】
複合機１が実行可能な画像処理が多数ある場合、その各々に対応した多数の画像処理キー４１２１をタッチパネル４１に一度に並べて表示するように構成しても良いが、本実施形態の複合機１では、図３（ａ）に示すように、タッチパネル４１には、一度に、例えば２個の画像処理キー４１２１を表示するものとして説明する。そして、カーソルキー４１２２にタッチされると、他の画像処理キー４１２１に表示を切り替える。
【００３５】
このようにすれば、タッチパネル４１の限られた表示領域を有効に活用し、多数の画像処理キー４１２１をユーザに提示することができる。なお、決定キー４１２３および取消キー４１２４の機能については、図４（ｂ）を参照して後述する。
【００３６】
図２に戻り説明する。位置情報記憶エリア２３２は、タッチパネル４１に表示される画像と位置情報との関係を記憶するエリアである。
【００３７】
図３（ｂ）は、位置情報記憶エリア２３２の構成を模式的に示す図であり、図３（ａ）に示す画像がタッチパネル４１に表示されているときの記憶内容を示している。図３（ｂ）に示すように、位置情報記憶エリア２３２には、タッチパネル４１に表示中の各画像と、タッチパネル４１における各画像の表示位置を示す位置情報とを対応付けて記憶するエリアである。
【００３８】
ここで、位置情報記憶エリア２３２に記憶される位置情報は、タッチパネル４１の表示面に向かって右下を原点とし、横方向をｘ軸、縦方向をｙ軸として設定した座標系におけるｘ座標とｙ座標とで表されるものとして説明する。図３（ｂ）においては、ｘ座標がｉ、ｙ座標がｊである座標を、ＸｉＹｊと表記している。タッチパネル４１は、例えば圧力から指示物４２（図６参照）の接触を検知し、接触が検知された接触位置の座標を入力する。
【００３９】
また、図３（ａ）に示すように、タッチパネル４１にサムネイル画像４１１と操作キー４１２とが表示されているとき、位置情報記憶エリア２３２には、図３（ｂ）に示すように、各座標に表示されるサムネイル画像４１１の画像ファイル名（Ｐ１、Ｐ２・・・）、または各座標に表示される操作キー４１２に対応する機能が、各座標に対応付けて記憶される。
【００４０】
よって、タッチパネル４１から入力される接触位置の座標に基づいて、ユーザによりタッチされたサムネイル画像４１１またはユーザにより選択された画像処理を特定することができる。
【００４１】
例えば、図３（ｂ）に示すように、位置情報記憶エリア２３２において、座標Ｘ３Ｙ２で特定される矩形領域に画像ファイル名「Ｐ１」が対応付けられているので、ユーザが、座標Ｘ３Ｙ２に表示されるサムネイル画像４１１にタッチした場合は、その座標がタッチパネルから入力され、その入力に基づいて、画像ファイルＰ１のサムネイル画像にタッチされたことが判断（検出）される。
【００４２】
図２に戻り説明する。確定済画像処理記憶エリア２３４は、画像ファイル一時記憶エリア２３０に記憶された各画像ファイルに対し実行することが確定された画像処理を示す情報（属性情報）を記憶するエリアである。
【００４３】
図４（ａ）は、確定済画像処理記憶エリア２３４の構成を模式的に示す図である。ユーザによって、ある画像ファイルに対し実行する処理が確定されると、その画像処理がその画像ファイルの属性情報として記憶される。
【００４４】
図２に戻り、バス２５を介して制御部２０と接続されるＡＳＩＣ２６について説明する。ＡＳＩＣ２６には、複合機１に所望の指令を入力する操作キー４０を制御するパネルゲートアレイ（パネルＧＡ）２７が接続されている。パネルゲートアレイ２７は、操作キー４０の押下（入力）を検出して、所定のコード信号を出力する。ＣＰＵ２１は、パネルゲートアレイ２７から所定のキーコードを受信すると、所定のキー処理テーブルに従って、実行すべき制御処理を行う。
【００４５】
ＡＳＩＣ２６には、タッチパネル４１の画面表示を制御するタッチパネルコントローラ２８が接続されている。タッチパネルコントローラ２８は、ＣＰＵ２１の指令に基づいて、接続された外部装置やスロット部７２に挿入されたメモリカードから受け取ったデータに対応する画像を画面に表示させる。
【００４６】
さらに、ＡＳＩＣ２６には、一般公衆回線３３に接続されファクシミリ機能を実現するためのＮＣＵ（Ｎｅｔｗｏｒｋ  Ｃｏｎｔｒｏｌ  Ｕｎｉｔ）３１や、ＮＣＵ３１を介してモデム３２が接続されている。
【００４７】
次に、図４（ｂ）から図７（ａ）を参照して、上記のように構成された複合機１において実行されるサムネイル画像表示処理について説明する。図４（ｂ）は、複合機１により実行されるサムネイル画像表示処理を途中まで示したフローチャートであり、図５は、図４（ｂ）に示すサムネイル画像表示処理の続きの処理を示したフローチャートである。
【００４８】
また、図６および図７（ａ）は、サムネイル画像表示処理実行時におけるタッチパネル４１の表示態様を例示した図である。図６および図７（ａ）を適宜参照しつつ、図４（ｂ）および図５に示すフローチャートを説明する。
【００４９】
なお、サムネイル画像表示処理は、ユーザによりスロット部７２にメモリカードが装着され、メモリカードに記憶された画像ファイルが画像ファイル一時記憶エリア２３０（図２参照）に読み込まれた場合に実行される処理である。また、サムネイル画像表示処理の実行途中で、ユーザにより取消キー４１２４にタッチがされると、このサムネイル画像表示処理は終了する。
【００５０】
図４（ｂ）に示すように、サムネイル画像表示処理では、まず、タッチパネル４１のサムネイル画像表示領域４１３に、サムネイル画像４１１をマトリクス状に配置してｍ個表示し、画像処理キー４１２１を含む各種操作キー４１２を操作キー表示領域４１４に表示する（Ｓ２）。なお、ｍは２以上の既定の整数であるが、選択肢として表示すべき画像処理の種類がｍ以上ある場合は、表示しきれないサムネイル画像４１１を図示しないカーソルキーの操作に応じて表示可能に構成されていても良い。図６（ａ）は、Ｓ２の処理においてサムネイル画像４１１および画像処理キー４１２１を含む各種操作キー４１２が表示されたタッチパネル４１の一例を示す。
【００５１】
図４（ｂ）に戻り説明する。次に、タッチパネル４１に表示されたサムネイル画像４１１がタッチされたかを判断する（Ｓ４）。具体的には、タッチパネル４１に対する指示物４２の接触が検出され、且つその接触位置のｘ座標が０から３の範囲であるかが判断される。
【００５２】
サムネイル画像４１１にタッチがされると（Ｓ４：Ｙｅｓ）、そのタッチされたサムネイル画像４１１を選択サムネイル画像として認識し、点灯させる（Ｓ６）。なお、選択中サムネイル画像として認識されていないサムネイル画像４１１を非選択サムネイル画像と称する。なお、各サムネイル画像４１１が、選択サムネイル画像であるか非選択サムネイル画像であるかを管理するための手法としては、例えば、記憶テーブルを用いる手法、あるいは変数を用いる手法など、様々な手法を適宜採用することができ、限定されるものではない。
【００５３】
次に、座標（４，０）に表示された決定キー４１２３がタッチされたかを判断する（Ｓ１０）。決定キー４１２３がタッチされない場合（Ｓ１０：Ｎｏ）、Ｓ４に戻り処理を繰り返す。そして、新たにサムネイル画像４１１がタッチされると（Ｓ４：Ｙｅｓ）、そのサムネイル画像４１１を点灯する処理を繰り返す。
【００５４】
図６（ｂ）は、指示物４２によりタッチされたと判断された複数のサムネイル画像４１１が点灯された状態を示している。図６（ｂ）に示すように、タッチされたサムネイル画像４１１は点灯されるので、操作ミスにより誤ったサムネイル画像４１１にタッチしてしまった場合、ユーザは直ぐにその操作ミスに気づくことができる。
【００５５】
図４（ｂ）に戻り説明する。このようにして処理を繰り返すうちに、所望のサムネイル画像４１１を全て選択し終わったユーザにより、決定キー４１２３がタッチされると（Ｓ１０：Ｙｅｓ）、図５に示すＳ１６の処理に移行する。なお、決定キー４１２３にタッチする操作が、特許請求の範囲に記載の所定の操作の一例に相当する。
【００５６】
図６（ｃ），図６（ｄ），図６（ｅ）は、Ｓ２の処理において、サムネイル画像４１１をタッチパネル４１に表示してからユーザによって決定キー４１２３がタッチされるまでの間に、ユーザによってタッチされた全てのサムネイル画像４１１が点灯して表示された状態を示す図である。
【００５７】
図６（ｃ），図６（ｄ），図６（ｅ）に示すように、決定キー４１２３がタッチされるまでの間にタッチされた全てのサムネイル画像を、選択中サムネイル画像として点灯し、非選択サムネイル画像と異なる態様で表示するので、ユーザは選択中サムネイル画像を正確に把握し、以降のステップで適切な画像処理を選択することができる。
【００５８】
図５を参照して、サムネイル画像表示処理の続きを説明する。なお、カーソルキー４１２２にタッチされた場合の処理について、このフローチャートでは図示を省略しているが、本実施形態の複合機１によれば、カーソルキー４１２２がタッチされると、その操作に応じて、タッチパネル４１には順次異なる種類の画像処理キー４１２１が表示される。
【００５９】
まず、画像処理キー４１２１がタッチされたか否かを判断する（Ｓ１６）。画像処理キー４１２１がタッチされた場合（Ｓ１６：Ｙｅｓ）、その画像処理キー４１２１に対応する画像処理を選択する（Ｓ１９）。そして選択された画像処理について、その処理結果を示すサムネイル画像４１１が、タッチパネル４１に既に表示されているか否かを判断する（Ｓ２０）。
【００６０】
選択された画像処理の処理結果を示すサムネイル画像４１１が、タッチパネル４１に表示されていない場合（Ｓ２０：Ｎｏ）、選択中サムネイル画像を、選択された画像処理の処理結果を示すサムネイル画像４１１で置換する（Ｓ２２）。
【００６１】
図６（ｆ）は、選択中サムネイル画像４１１が、選択された画像処理の処理結果を示すサムネイル画像４１１で置換された状態を示す図である。図６（ｆ）に示すように、ユーザによりタッチされた画像処理キー４１２１に対応した画像処理が選択されると、選択中サムネイル画像４１１の各々は、一括して選択された画像処理の処理結果を示すサムネイル画像４１１で置換される。
【００６２】
例えば、図６（ｆ）に示す例では、ユーザが「左回転」の画像処理キー４１２がタッチすることにより、選択中サムネイル画像４１１が左回転された状態で表示されている。このようにすれば、選択した画像処理を施した場合の処理結果を、複数の画像ファイルについてユーザに一覧させ、迅速に把握させることができる。
【００６３】
また、図６（ｆ）に示すように、非選択サムネイル画像４１１については、そのまま表示が維持される。よって、例えば、一部の画像ファイルのみ、例えば左回転した場合に、その一部の画像ファイルに対する左回転処理が、全体としてどのような影響を及ぼすかをユーザが把握することができる。
【００６４】
なお、本実施形態では、画像ファイルに付加されているサムネイルデータに対し、選択された画像処理を実行し、それにより得られたサムネイルデータに基づいて、選択された画像処理の処理結果を示すサムネイル画像（例えば、左回転されたサムネイル画像）を表示するものとして説明する。しかし、これに替えて、画像ファイルに対して選択された画像処理を実行し、得られた画像ファイルからサムネイルデータを作成し、そのサムネイルデータに基づいて、画像処理を施した場合の処理結果を示すサムネイル画像を表示するように構成しても良い。
【００６５】
図５に戻り説明する。次に、Ｓ２６の処理に移行する。そして、座標（４，０）の決定キー４１２３がタッチされない場合（Ｓ２６：Ｎｏ）、Ｓ１６に戻り処理を繰り返す。
【００６６】
次に、Ｓ１９のステップにおいて選択された画像処理について、その処理結果を示すサムネイル画像４１１が、タッチパネル４１に既に表示されている場合（Ｓ２０：Ｙｅｓ）について説明する。
【００６７】
この場合、選択された画像処理の処理結果を示すサムネイル画像４１１の各々を、選択された画像処理を取り消した場合の処理結果を示すサムネイル画像４１１で置換する（Ｓ２８）。
【００６８】
例えば、前回までに左回転処理が選択されている場合、選択中サムネイル画像４１１は、左回転処理結果を示すものとして、左回転された状態で表示されている（図６（ｆ）参照）。この状態において、再度左回転処理が選択された場合は、その左回転処理を取り消した場合の処理結果を示すサムネイル画像（すなわち左回転処理を行っていない状態を示すサムネイル画像）で、左回転された状態で表示されているサムネイル画像の各々を置換する（図６（ｅ）に戻る）。
【００６９】
すなわち、既に処理結果が示されている画像処理に対応した画像処理キー４１１にタッチするという操作で、その画像処理を取り消した場合の処理結果を示すサムネイル画像が表示されるので、ユーザは、画像処理を実行する場合と実行しない場合のそれぞれの結果を容易な操作で視認することができ、操作性が良い。
【００７０】
次に、Ｓ２６の処理に移行する。そして、座標（４，０）の決定キー４１２３がタッチされない場合（Ｓ２６：Ｎｏ）、Ｓ１６に戻り処理を繰り返す。
【００７１】
次に、画像処理キー４１２１がタッチされず（Ｓ１６：Ｎｏ）、サムネイル画像４１１に対するタッチが検出された場合について説明する（Ｓ１８：Ｙｅｓ）。
【００７２】
サムネイル画像４１１に対するタッチが検出された場合（Ｓ１８：Ｙｅｓ）、次に、その検出されたサムネイル画像４１１が、直前に選択された画像処理の処理結果を示すものであるか否かを判断する（Ｓ３０）。
【００７３】
まず、タッチされたサムネイル画像４１１が、直前に選択された画像処理の処理結果を示すものではない場合（Ｓ３０：Ｎｏ）について説明する。この場合、まず、タッチされたサムネイル画像４１１を、直前に選択された画像処理の処理結果を示すサムネイル画像４１１で置換し（Ｓ３２）、Ｓ２６の処理に移行する。すなわち、直前に選択された画像処理の処理結果は、選択中サムネイル画像４１１によって示されているが、それを見たユーザが他のサムネイル画像４１１についても、その画像処理を視認したい場合には、所望のサムネイル画像４１１をタッチするだけで良く、操作性が良い。
【００７４】
次に、タッチされたサムネイル画像４１１が、直前に選択された画像処理の処理結果を示すものである場合（Ｓ３０：Ｙｅｓ）について説明する。
【００７５】
この場合は、そのタッチされたサムネイル画像４１１を、直前に選択された画像処理を取り消した場合の処理結果を示すサムネイル画像４１１で置換し（Ｓ３６）、Ｓ２６の処理に移行する。
【００７６】
図６（ｇ）は、直前に選択された画像処理の処理結果を示すサムネイル画像４１１が、ユーザによってタッチされた状態を示す図であり、図６（ｈ）は、そのタッチされたサムネイル画像が置換された状態を示す図である。
【００７７】
図６（ｇ）に示すように、選択中サムネイル画像は、画像処理が選択される毎に、その選択された画像処理の処理結果を示すサムネイル画像で一括して置換されるが、この処理結果を見たユーザが、一部のサムネイル画像については、その画像処理が不要であると判断する場合がある。このような場合、ユーザは、図６（ｇ）に示すように、一括置換されたサムネイル画像４１１のうち、任意のサムネイル画像４１１にタッチすることにより、その直近に選択された画像処理の処理結果を示す前の表示状態に戻すことができるのである。よって、あるサムネイル画像が、それまでに選択された複数種類の画像処理について、その処理結果を示すものであっても、取り消したい画像処理のみを取り消した場合の処理結果を、容易に視認することができる。
【００７８】
図５に戻り説明する。このようにして処理を繰り返すうちに、座標（４，０）の決定キー４１２３がタッチされると（Ｓ２６：Ｙｅｓ）、次に、各サムネイル画像４１１により処理結果が示される画像処理を、各サムネイル画像の元データである画像ファイルの属性情報として、確定済画像処理記憶エリア２３４（図４（ａ）参照）に記憶する（Ｓ３９）。すなわち、決定キー４１２３がタッチされたときに、サムネイル画像４１１によって示されていた画像処理は、ユーザによってその実行が確定されたものと判断し、属性情報として記憶するのである。
【００７９】
本実施形態の複合機１によれば、画像ファイル一時記憶エリア２３０に記憶された各画像ファイルは、確定済画像処理記憶エリア２３４に記憶された属性情報に従って画像処理されるのであるが、詳細な説明は省略する。
【００８０】
次に、操作キー表示領域４１４に表示された画像処理キー４１２１、カーソルキー４１２２、決定キー４１２３、取消キー４１２４を消去し、代わりに、引き続き処理を行うか否かを問うメッセージをタッチパネル４１に表示する（Ｓ４０）。
【００８１】
図７（ａ）は、画像処理の選択後、決定キー４１２３にタッチがされた場合におけるタッチパネル４１の表示態様の一例を示す図である。図７（ａ）に示すように、操作キー表示領域４１４には、ユーザへのメッセージ「引き続き処理を行いますか？」と、そのメッセージに対する回答をユーザに入力させるための操作キーとして、「しない」キーと、「する」キーとが表示される。
【００８２】
図５に戻り説明する。次に「しない」キーがタッチされたかを判断する（Ｓ４２）。「する」キーがタッチされた場合（Ｓ４２：Ｎｏ）、Ｓ２に戻り処理を繰り返す。
【００８３】
Ｓ２に戻りサムネイル画像が表示されるときは、属性情報として記憶された画像処理の処理結果を示すサムネイル画像が表示される。よって、ユーザは、決定キー４１２３をタッチすることにより既に確定した画像処理に加えて、さらに他の画像処理を追加するか否かを検討することができる。
【００８４】
なお、上述したように、Ｓ２８の処理では、選択された画像処理を取り消した場合の処理結果を示すサムネイル画像４１１を表示することとしている。しかしながら、属性情報として確定済み画像処理記憶エリア２３４に記憶されている画像処理が選択された場合には、Ｓ２８の処理をスキップすることとする。このようにすれば、確定済みの画像処理が不用意に取り消されることが抑制され、操作性が良い。
【００８５】
本実施形態の複合機１によれば、ユーザが選択したサムネイル画像４１１が多数ある場合であっても、容易な操作で、各サムネイル画像４１１について、選択された画像処理を施した場合の処理結果を一覧することができる。また、選択されたサムネイル画像４１１以外のサムネイル画像４１１についてはその表示が維持されるので、複数画像データのうち一部の画像データに対し画像処理を施した場合に、その一部の画像データに対する画像処理が全体に及ぼす影響を、ユーザが的確に把握することができる。
【００８６】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００８７】
例えば、本実施形態では、複合機１に設けられたタッチパネル４１は指示物の接触を検出するものとして説明したが、例えば、指示物の接近を検出することができるタッチパネルが設けられている場合においても、本発明は適用可能である。
【００８８】
また、上述した実施形態では、メモリカードに記憶された画像ファイルが画像ファイル一時記憶エリア２３０（図２参照）に読み込まれ、その画像ファイルのサムネイル画像４１１がタッチパネル４１に表示される場合に本発明が適用されるものとして説明したが、本発明はこれに限られるものではない。例えば、スキャナ３により読み取った画像データやＰＣから受信した画像データなどからサムネイルデータを作成し、そのサムネイル画像をタッチパネル４１に表示する場合にも、本発明が好適に適用される。
【００８９】
また、上述した実施形態では、選択された画像処理について、その処理結果を示すサムネイル画像４１１が、タッチパネル４１に既に表示されている場合（Ｓ２０：Ｙｅｓ）、その選択された画像処理の種類に拘わらず、その処理結果を示すサムネイル画像４１１の各々を、選択された画像処理を取り消した場合の処理結果を示すサムネイル画像４１１で置換して表示するものとして説明した。しかしながら、選択された画像処理の種類によっては、選択された画像処理をさらに実行した場合の処理結果を示すサムネイル画像を表示するように構成しても良い。例えば、左回転処理または右回転処理の回転処理が選択された場合に、現在表示されているサムネイル画像４１１をさらに回転処理した場合の処理結果を示すサムネイル画像で置換表示するように構成しても良い。
【００９０】
また、上述した実施形態のサムネイル画像表示処理（図５参照）における、Ｓ３０のステップにおいて、タッチされたサムネイル画像４１１が、直前に選択された画像処理の処理結果を示すものではないと判断された場合（Ｓ３０：Ｎｏ）、直前に選択された画像処理の処理結果を示すサムネイル画像４１１で置換するものとして説明したが（Ｓ３２）、これに代えて先行して選択された全ての画像処理を実行した場合の処理結果を示すサムネイル画像で、置換するように構成しても良い。
【００９１】
また、上述した実施形態のサムネイル画像表示処理（図４（ｂ）参照）では、Ｓ２の処理において、図６（ａ）に示すように、サムネイル画像４１１と、画像処理キー４１２１とを同時に表示していた。これに替えて、サムネイル画像４１１をユーザに選択させるＳ２からＳ１０の処理では、画像処理キー４１２１を表示しないようにしても良い。
【００９２】
図７（ｂ）は、変形例のサムネイル画像表示処理のＳ２の処理において、タッチパネル４１に表示される画面を示す図であり、図６（ａ）に相当する図である。図７（ｂ）に示すように、操作キー表示領域４１４に画像処理キー４１２１を表示しないことにより、空きスペースが生じるので、操作キー表示領域４１４にメッセージおよび操作キー４１２を表示しても良い。メッセージとしては、例えば、「一括処理を行う写真を選択して下さい」など、サムネイル画像４１１の選択をユーザに促すメッセージが表示される。
【００９３】
そして、ユーザが任意のサムネイル画像４１１を選択し、決定キー４１２３にタッチすると、操作キー表示領域４１４に表示されたメッセージを消去し、代わりに、画像処理キー４１２１およびカーソルキー４１２２を表示する（図６（ｅ）参照）。このとき、図６（ｅ）に示すように、サムネイル画像４１１の表示は継続されると共に、選択中サムネイル画像４１１の点灯が継続されるので、ユーザは選択中サムネイル画像４１１を視認しつつ、画像処理を選択することができ、適切な画像処理を選択することができる。
【図面の簡単な説明】
【００９４】
【図１】本発明における実施形態の複合機の外観構成を示す斜視図である。
【図２】複合機の電気的構成を示すブロック図である。
【図３】サムネイル画像が表示されたタッチパネルの表示態様の一例を示す図である。
【図４】（ａ）は、確定済画像処理記憶エリアの構成を模式的に示す図であり、（ｂ）は、複合機により実行されるサムネイル画像表示処理を途中まで示したフローチャートである。
【図５】図４（ｂ）に示すサムネイル画像表示処理の続きの処理を示したフローチャートである。
【図６】サムネイル画像表示処理実行時におけるタッチパネルの表示態様を示す図である。
【図７】（ａ）は、画像処理の選択後、決定キーにタッチがされた場合におけるタッチパネルの表示態様の一例を示す図であり、（ｂ）は、変形例のサムネイル画像表示処理のＳ２の処理において、タッチパネルに表示される画面を示す図である。
【符号の説明】
【００９５】
１            複合機（画像処理装置）
４１          タッチパネル
４１１        サムネイル画像
４１２１      画像処理キー（機能提示画像）
４２          指示物
Ｓ２，Ｓ６    サムネイル画像表示手段
Ｓ２          サムネイル画像表示工程、サムネイル画像表示ステップ
Ｓ２          機能提示手段、機能提示工程、機能提示ステップ
Ｓ４          選択判断手段、選択判断工程、選択判断ステップ
Ｓ１８        追加検出手段
Ｓ１９        画像処理選択手段、画像処理選択工程、画像処理選択ステップ
Ｓ２２        表示変更手段、表示変更工程、表示変更ステップ
Ｓ２８        第１解除手段
Ｓ３０        サムネイル画像判断手段
Ｓ３２        追加置換手段
Ｓ３６        第２解除手段
【図１】
0004888251.tif 000002
【図２】
0004888251.tif 000003
【図３】
0004888251.tif 000004
【図４】
0004888251.tif 000005
【図５】
0004888251.tif 000006
【図６】
0004888251.tif 000007
【図７】
0004888251.tif 000008